(57)【要約】【課題】カーオーディオ等のソース変更を行う際にそのミュート時間を短く制御でき、また、テレビ等のチャンネル切り替え中に音声による情報の更新を行うことができるオーディオ装置を得ることを目的とする。【解決手段】複数の音声ソースを切り替える切換スイッチ４と、この切り替えられる音声ソースの音声レベルを調整して再生する音声処理回路５およびフェードイン・アウト・ミュート回路６と、この音声ソースの切替結果を表示する表示装置１１と、切替スイッチ４、フェードイン・アウト・ミュート回路６、表示装置１１の各動作を制御するマイコン１０とを備え、マイコン１０は、音声ソース変更の操作を受け付けたことを表示装置１１に示した上で、現状の音声ソースを再生し続け、次の音声ソースの再生準備が整った状態になって初めて次の音声ソースに切り替える制御を行う。【選択図】図１
2009194407.tif 000002
【特許請求の範囲】
【請求項１】
複数の音声ソースを切り替える切替手段と、
前記切替手段で切り替えられた音声ソースの音声レベルを調整して再生する音声再生手段と、
前記切替手段による音声ソースの切替結果を表示する表示手段と、
前記音声ソースの切り替え操作を受け付けると現状の音声ソースを再生し続け、次の音声ソースの再生準備が整った状態になって初めて次の音声ソースに切り替える制御を行う制御手段とを備えたオーディオ装置。
【請求項２】
制御手段は、前記音声ソースの切り替え中に音声により切り替えを報知することを特徴とする請求項１記載のオーディオ装置。
【請求項３】
音声再生手段は、前記切替手段で切り替えられた音声ソースの音声処理を行う音声処理回路と、前記音声処理回路からの出力レベルを調整するフェードイン・フェードアウト機能付きフェードイン・アウト・ミュート回路とで構成したことを特徴とする請求項１または請求項２記載のオーディオ装置。
【発明の詳細な説明】
【技術分野】
【０００１】
この発明は、カーオーディオ等の音声ソースを受信し、その音声ソースを切り替える場合に用いて好適なオーディオ装置に関するものである。
【背景技術】
【０００２】
一般に、カーオーディオ等において音声ソースの変更を行う場合、一旦音声ミュートをかけてその間に音声ソースの変更に関する操作を行い、操作が完了した後にミュートをオフにして変更後の音声ソースの音出しを行うようにしている。
また、テレビ等のチャンネル変更時に所定チャンネルの画像を静止画として音声をミュートした後、切り替え後のチャンネル受信処理を開始し、チャンネル切り替えの処理が完了するまで待機した後、静止画と音声ミュートを解除するようにしている（例えば、特許文献１参照）。
【０００３】
【特許文献１】特開平８−１８１９２６号公報
【発明の開示】
【発明が解決しようとする課題】
【０００４】
しかしながら、上記のようにソース変更を行う場合に、一旦音声ミュートをかけてその間にソース変更を行い、その操作が完了した後にミュートをオフにして変更後のソースの音だしを行うやり方では、ＣＤやＭＤといった起動時に駆動系でディスクを回転させる必要があるソースや、音声再生に起動準備が必要なソースへ変更を行う場合には、釦操作等を行ってソース変更要求をし、ミュートをかけた状態から変更後のソースの再生が開始されるまでに時間がかかり、ミュート時間が長いという問題点があった。
また、上記公報に記載されているような手法では、静止画および音声はミュート状態であることから、テレビ等のチャンネル切り替え中に情報の更新ができないという問題点があった。
【０００５】
この発明は、上記のような課題を解決するためになされたもので、カーオーディオ等においてソース変更を行う場合にそのミュート時間を短くする制御ができ、また、テレビ等のチャンネル切り替え中に音声による情報の更新を行うことができる構成簡単にして安価なオーディオ装置を得ることを目的とする。
【課題を解決するための手段】
【０００６】
この発明に係るオーディオ装置は、複数の音声ソースを切り替える切替手段と、この切替手段で切り替えられた音声ソースの音声レベルを調整して再生する音声再生手段と、この切替手段による音声ソースの切替結果を表示する表示手段と、音声ソースの切り替え変更操作を受け付けると、現状の音声ソースを再生し続け、次の音声ソースの再生準備が整った状態になって初めて次の音声ソースに切り替える制御を行う制御手段を備えた。
【発明の効果】
【０００７】
この発明は、所望の音声ソースの音出し直前まで切り替え前の音声ソースを聴きつづけることができ、音声ソース切り替えに伴うミュートによる待ち時間を大幅に短縮することができ、しかも、テレビ等のチャンネル切り替え中に音声による情報の更新を行うことができるという効果がある。
【発明を実施するための最良の形態】
【０００８】
以下、この発明の実施の一形態を、図１〜図４を参照して説明する。
実施の形態１．
図１は、この発明の実施の形態１によるオーディオ装置のシステム構成を示すブロック図である。
図１において、音声ソースとして、例えば、ＦＭ／ＡＭラジオ１、ＣＤ再生装置２およびＭＤ再生装置３が設けられ、これらの出力側に音声ソースを選択する切替手段としての切替スイッチ４が設けられ、切替スイッチ４の接点ａ，ｂおよびｃにそれぞれＦＭ／ＡＭラジオ１，ＣＤ再生装置２およびＭＤ再生装置３の出力側が接続され、切替スイッチ４の出力端子がボリューム・トーンコントロール・ラウドネス等の音声処理回路５の入力側に接続される。音声処理回路５の出力側には、フェードイン・フェードアウト機能付きのフェードイン・アウト・ミュート回路６、このフェードイン・アウト・ミュート回路６からの音楽信号をスピーカ８が鳴る電力まで増幅するパワーアンプ７が設けられる。なお、音声処理回路５とフェードイン・アウト・ミュート回路６は、切替スイッチ４で切り替えられた音声ソースの音声レベルを調整して再生する音声再生手段を構成する。
【０００９】
また、ＦＭ／ＡＭラジオ１、ＣＤ再生装置２およびＭＤ再生装置３の各デバイスに対して双方向の動作起動制御ライン９を介して動作要求コマンド（動作起動制御コマンド）を送る制御手段としてのマイクロコンピュータ（以下、単にマイコンという）１０が設けられ、このマイコン１０に表示手段としての液晶等の表示装置１１と、セット外部からの操作を受け付ける操作釦１２と、外部機器と通信する外部通信バス１３とが接続される。マイコン１０には、起動完了し、音出し状態が整ったことを各デバイスからマイコン１２に示す音出し準備完了フラッグがライン１４を介して供給され、また、切替スイッチ４の切り替え、音声処理回路５およびフェードイン・アウト・ミュート回路６の動作は、マイコン１０により制御されるようになされている。
【００１０】
次に、動作について、音声ソースをＦＭからＣＤに変更する場合を例に取り、図２〜図４を参照して説明する。なお、図２は、音声ソースを変更する際のフローチャートを示し、図３は、ソース変更トリガ受付け時の表示例を示し、図４は、ＦＭからＣＤへのモード変更のタイミングチャートを示す。
まず、操作釦１２または外部通信バス１３よりＣＤ再生装置２へのソース変更コマンド、つまり図４（ａ）に示すようなＣＤへのソース変更トリガを受け付けると（ステップＳＴ１）、マイコン１０はその旨を、不要表示装置１１に表示させると共に、音声処理回路５へピープ音を発生させるコマンドを送信する（ステップＳＴ２）。
【００１１】
これを受けて表示装置１１は、図３に示すような表示を実施し、音声処理回路５はピープ音を後続の信号通路を通じてスピーカ８より発生させる。この様子を図３の表示例に示す。また、同時にマイコン１０は動作起動制御ライン９を介してＣＤ再生装置２に起動を促す。ただし、現段階ではＦＭの音声が全く影響を受けずに流され続けている状態である。これを受けてＣＤ再生装置２はディスクの回転を始め、音出し準備に入る（ステップＳＴ３）。
【００１２】
再生の準備が完了したか否かを判別し（ステップＳＴ４）、再生の準備が完了すれば（ステップＳＴ４のＹＥＳ）、ＣＤ再生装置２は、ライン１４を介して、図４（ｃ）に示すように、音出し準備完了フラッグにてマイコン１０へ音出し準備が完了したことを通知する。このフラッグを確認したマイコン１０は、図４（ｄ）に示すように、フェードイン・アウト・ミュート回路６に対してフェードアウト（音声を段々小さくする）開始コマンドを発生し、フェードイン・アウト・ミュート回路６にて現状のＦＭの音声をフェードアウトしていく。音声がミュートになったとき、つまり音声が出なくなったとき（ステップＳＴ５）、図４（ｅ）に示すように、切替スイッチ４を接点ａのＦＭ／ＡＭラジオ１から接点ｂのＣＤ再生装置２側の入力に切り替える（ステップＳＴ６）。
【００１３】
最後に、マイコン１０は、図４（ｆ）に示すように、フェードイン・アウト・ミュート回路６に対してフェードイン（音声を段々大きくする）開始コマンドを発生し、フェードイン・アウト・ミュート回路６にてＣＤ音声のフェードインを開始することにより、ＣＤ再生装置２へのソース切り替えが完了する（ステップＳＴ７）。図４（ｇ）は、上述の一連のタイミングチャートに対応した、ＦＭ／ＡＭラジオ１およびＣＤ再生装置２における出力音声レベルの変化の様子を示している。
【００１４】
なお、上述は、音声ソースをＦＭからＣＤに変更する場合であるが、音声ソースをＦＭからＭＤに変更する場合も同様に行うことができる。
【００１５】
このように実施の形態１によれば、ＣＤやＭＤのように起動から音出しまでに時間のかかる音声ソースであっても、起動を促してから音出し準備完了フラグを確認するまでは準備中であるという認識をマイコン１０が持つことができるため、所望の音声ソースの音出し直前まで切り替え前の音声ソースを聴き続けることができ、音声ソース切り替えに伴うミュートによる待ち時間を大幅に短縮することができ、しかも、テレビ等のチャンネル切り替え中に音声による情報の更新を行うことができる。
【図面の簡単な説明】
【００１６】
【図１】この発明の実施の形態１によるオーディオ装置のシステム構成を示すブロック図である。
【図２】この発明の実施の形態１によるオーディオ装置における音声ソース変更を説明するためのフローチャートである。
【図３】この発明の実施の形態１によるオーディオ装置におけるソース変更トリガ受付け時表示例を示す図である。
【図４】この発明の実施の形態１によるオーディオ装置におけるＦＭからＣＤへのモード変更を示すタイミングチャートである。
【符号の説明】
【００１７】
１  ＦＭ／ＡＭラジオ、２  ＣＤ再生装置、３  ＭＤ再生装置、４  切替スイッチ、５  音声処理回路、６  フェードイン・アウト・ミュート回路、１０  マイクロコンピュータ（マイコン）、１１  表示装置。
【図１】
2009194407.tif 000003
【図２】
2009194407.tif 000004
【図３】
2009194407.tif 000005
【図４】
2009194407.tif 000006